(57)【要約】【課題】隣接した２つのフェイスプレートのうちの一方のハンドル部を摘むことが、他方のフェイスプレートのハンドル部に阻害されにくい電子装置を提供する。【解決手段】基板２０が挿入されるスロット１６が形成された電子装置１０であって、抜出方向側で基板２０に取り付けられるフェイスプレート１２を備え、フェイスプレート１２は、幅方向に関して本体部３２の両端部３４、３６に設けられ、抜出方向に延びた２つのハンドル部４２を有し、幅方向で隣接した２つのフェイスプレート１２のうち、一方のフェイスプレート１２の他方のフェイスプレート１２側のハンドル部４２の先端部４８と、他方のフェイスプレート１２の一方のフェイスプレート１２側のハンドル部４２の先端部４８とは、厚み方向に関して互いにずれている。【選択図】図５
2020136318.tif 000002
【特許請求の範囲】
【請求項１】
基板が挿入方向に沿って挿入されるスロットが形成された筐体を有する電子装置であって、
前記スロットは、前記スロットの開口部が前記基板の幅方向に沿って互いに隣接するように、前記筐体に少なくとも２つ形成され、
前記挿入方向とは反対方向の抜出方向側で前記基板に取り付けられるフェイスプレートを備え、
前記フェイスプレートは、
前記スロットに前記基板が挿入されたときに前記スロットの開口部を覆う本体部と、
前記幅方向に関して前記本体部の両端部に設けられ、前記抜出方向に延びた２つのハンドル部と、
を有し、
前記幅方向で隣接した２つの前記フェイスプレートのうち、一方の前記フェイスプレートの、他方の前記フェイスプレート側の前記ハンドル部の先端部と、前記他方の前記フェイスプレートの、前記一方の前記フェイスプレート側の前記ハンドル部の前記先端部とは、前記基板の厚み方向に関して互いにずれている、電子装置。
【請求項２】
請求項１に記載の電子装置であって、
前記一方の前記フェイスプレートの前記ハンドル部の、前記他方の前記フェイスプレート側の前記先端部と、前記他方の前記フェイスプレートの、前記一方の前記フェイスプレート側の前記ハンドル部の前記先端部とは、前記抜出方向に平行な方向を向いた、電子装置。
【請求項３】
請求項２に記載の電子装置であって、
前記一方の前記フェイスプレートの、前記他方の前記フェイスプレート側の前記ハンドル部の前記先端部は、前記抜出方向の前記厚み方向側の一方側に向かって斜めを向き、
前記他方の前記フェイスプレートの、前記一方の前記フェイスプレート側の前記ハンドル部の前記先端部は、前記抜出方向の前記厚み方向側の他方側に向かって斜めを向いた、電子装置。
【請求項４】
請求項１に記載の電子装置であって、
前記一方の前記フェイスプレートの、前記他方の前記フェイスプレート側の前記ハンドル部の前記先端部は、前記厚み方向と平行であって前記厚み方向の一方側の方向を向き、
前記他方の前記フェイスプレートの、前記一方の前記フェイスプレート側の前記ハンドル部の前記先端部は、前記厚み方向と平行であって前記厚み方向の他方側の方向を向いた、電子装置。
【請求項５】
請求項１〜４のいずれか１項に記載の電子装置であって、
前記一方の前記フェイスプレートの、前記他方の前記フェイスプレート側の前記ハンドル部の基端部と、前記他方の前記フェイスプレートの、前記一方の前記フェイスプレート側の前記ハンドル部の基端部とは、前記抜出方向と交差する方向に関して互いに同じ位置である、電子装置。
【請求項６】
請求項１〜５のいずれか１項に記載の電子装置であって、
前記一方の前記フェイスプレートの、前記他方の前記フェイスプレート側の前記ハンドル部は、前記抜出方向の前記厚み方向の一方側に向かって斜めに延び、
前記他方の前記フェイスプレートの、前記一方の前記フェイスプレート側の前記ハンドル部は、前記抜出方向の前記厚み方向の他方側に向かって斜めに延びた、電子装置。
【請求項７】
請求項１〜６のいずれか１項に記載の電子装置であって、
前記本体部の両端側で前記スロットと係合する係合部材をさらに備え、
前記ハンドル部は、前記係合部材に取り付けられ、
前記ハンドル部は、前記スロットと前記係合部材との係合を解除する方向に移動したとき、前記スロットと前記係合部材との係合を解除する、電子装置。
【請求項８】
請求項１〜７のいずれか１項に記載の電子装置であって、
前記幅方向で隣接した２つの前記フェイスプレートの各々において、２つの前記ハンドル部の各々の前記先端部は、前記厚み方向に関して同じ位置である、電子装置。
【発明の詳細な説明】
【技術分野】
【０００１】
本発明は、電子装置に関する。とくに、スロットと、そのスロットの開口部を覆うフェイスプレートと、を有する電子装置に関する。
【背景技術】
【０００２】
基板を挿入することができるスロットが設けられた電子装置が、一般に知られている。また、そのような電子装置は、特許文献１に開示されるように、基板がスロットに挿入されたときに当該スロットの開口部を覆うフェイスプレートを有することがある。
【先行技術文献】
【特許文献】
【０００３】
【特許文献１】特開２０１１−７１３９６号公報
【発明の概要】
【発明が解決しようとする課題】
【０００４】
１つの電子装置に設けられるスロットの数は、電子装置の多機能化に伴って増加する傾向にある。また、複数のスロットが設けられた電子装置では、互いに隣接して設けられる２つのスロット同士の間隔が、電子装置の小型化に伴って狭くなる傾向にある。２つのスロット同士の間隔が狭くなると、その２つのスロットの各々を覆ったフェイスプレート同士の間隔も狭くなる。
【０００５】
フェイスプレートには、電子装置から取り外すときに、取り外し作業を行うオペレータが当該フェイスプレートを摘むためのハンドル部（摘まみ、取手）を備えたものがある。しかしながら、隣接した２つのフェイスプレート同士の間隔が狭い場合には、取り外そうとするフェイスプレートのハンドル部を摘む際に、周囲にある他のハンドル部が邪魔となる。
【０００６】
そこで、本発明は、隣接した２つのフェイスプレートのうちの一方のハンドル部を摘むことが、他方のフェイスプレートのハンドル部に阻害されにくい電子装置を提供することを目的とする。
【課題を解決するための手段】
【０００７】
発明の一つの態様は、基板が挿入方向に沿って挿入されるスロットが形成された筐体を有する電子装置であって、前記スロットは、前記スロットの開口部が前記基板の幅方向に沿って互いに隣接するように、前記筐体に少なくとも２つ形成され、前記挿入方向とは反対方向の抜出方向側で前記基板に取り付けられるフェイスプレートを備え、前記フェイスプレートは、前記スロットに前記基板が挿入されたときに前記スロットの開口部を覆う本体部と、前記幅方向に関して前記本体部の両端部に設けられ、前記抜出方向に延びた２つのハンドル部と、を有し、前記幅方向で隣接した２つの前記フェイスプレートのうち、一方の前記フェイスプレートの、他方の前記フェイスプレート側の前記ハンドル部の先端部と、前記他方の前記フェイスプレートの、前記一方の前記フェイスプレート側の前記ハンドル部の前記先端部とは、前記基板の厚み方向に関して互いにずれている。
【発明の効果】
【０００８】
本発明によれば、隣接した２つのフェイスプレートのうちの一方のハンドル部を摘むことが、他方のフェイスプレートのハンドル部に阻害されにくい電子装置が提供される。
【図面の簡単な説明】
【０００９】
【図１】実施の形態の電子装置の斜視図（その１）である。
【図２】図２Ａは、実施の形態の１種類目のフェイスプレートの斜視図である。図２Ｂは、図２Ａの別視点である。
【図３】図３Ａは、実施の形態の２種類目のフェイスプレートの斜視図である。図３Ｂは、図３Ａの別視点である。
【図４】図４Ａは、実施の形態の１種類目のフェイスプレートの側面図である。図４Ｂは、実施の形態の２種類目のフェイスプレートの側面図である。
【図５】実施の形態の電子装置の斜視図（その２）である。
【図６】参考例におけるフェイスプレートが取り付けられた電子装置の斜視図である。
【図７】図７Ａは、変形例１の１種類目のフェイスプレートの側面図である。図７Ｂは、変形例１の２種類目のフェイスプレートの側面図である。
【図８】図８Ａは、変形例１のもう一つの形態における１種類目のフェイスプレートの側面図である。図８Ｂは、変形例１のもう一つの形態における２種類目のフェイスプレートの側面図である。
【図９】図９Ａは、変形例２の１種類目のフェイスプレートの斜視図である。図９Ｂは、変形例２の２種類目のフェイスプレートの斜視図である。
【図１０】図１０Ａは、変形例３のフェイスプレートの側面図である。図１０Ｂは、変形例３のフェイスプレートの側面図である。
【発明を実施するための形態】
【００１０】
本発明について、好適な実施の形態を挙げ、添付の図面を参照しながら以下、詳細に説明する。なお、以下に記載する各方向は、各図面に示された矢印に従うものとする。
【００１１】
［実施の形態］
図１は、実施の形態の電子装置１０の斜視図（その１）である。
【００１２】
本実施の形態の電子装置１０は、例えば、演算機能が備わる数値制御装置である。電子装置１０は、筐体１４と、筐体１４に形成された複数のスロット１６と、筐体１４に取り付けられることでスロット１６の開口部１８を覆うフェイスプレート１２と、フェイスプレート１２が取り付けられた基板２０と、を備える。
【００１３】
複数のスロット１６は、図１のように、２つ以上のスロット１６が左右方向で互いに隣接するように、筐体１４に形成される。また、図１のように、筐体１４の前方向側から見たときの開口部１８の形状は、本実施の形態では矩形状である。複数のスロット１６には、各々の開口部１８を介して、基板２０を後方向（挿入方向）に沿って挿入することができる。
【００１４】
基板２０とは、例えば、所定の電気回路が形成されたプリント基板である。基板２０は、左右方向（幅方向）に沿った所定の幅と、上下方向（厚み方向）に沿った所定の厚みと、を有する。基板２０は、後方向側の端部２２に第１コネクタ２４を有する。第１コネクタ２４は、筐体１４の内部であってスロット１６の後方向側の端部に設けられたバックボード２６が有する第２コネクタ２８に接続される。スロット１６に挿入された基板２０は、後方向とは反対の方向である前方向（抜出方向）に沿ってスロット１６から抜き出すこともできる。
【００１５】
基板２０の前方向側の端部３０には、上述したフェイスプレート１２が取り付けられる。これにより、基板２０がバックボード２６に接続されるとき、ほとんど同時に、フェイスプレート１２によって当該スロット１６の開口部１８を覆うことができる。
【００１６】
本実施の形態では、２種類のフェイスプレート１２（後述するフェイスプレート１２Ａおよびフェイスプレート１２Ｂ）が電子装置１０に取り付けられる。ただし、フェイスプレート１２Ａとフェイスプレート１２Ｂとをあえて区別する必要がないときには、以下においても、両者を指して単に「フェイスプレート１２」と記載する。
【００１７】
図２Ａは、実施の形態の１種類目のフェイスプレート１２Ａの斜視図である。図２Ｂは、図２Ａの別視点である。
【００１８】
フェイスプレート１２Ａは、スロット１６に基板２０が挿入されたときにスロット１６の開口部１８を覆う本体部３２と、左右方向に関して本体部３２の両端側に設けられ、スロット１６と係合する係合部材３８と、を備える。
【００１９】
本体部３２は、図２Ａおよび図２Ｂに示されたように、矩形のプレート状の部材である。このように、本体部３２の形状は、開口部１８に対応する形状であることが好ましい。
【００２０】
係合部材３８は、スロット１６に係合する係合部４０を有する。本実施の形態の係合部４０は、スロット１６に形成された凹部（不図示）に係合する凸部である。フェイスプレート１２Ａは、スロット１６と係合することにより、スロット１６の開口部１８を覆った状態を維持することができる。これにより、スロット１６からの基板２０の抜け落ちが防止される。また、係合部材３８は、左右方向に撓むことができるような可撓性を有する。これにより、係合部４０が左右方向に移動できるようになる。
【００２１】
フェイスプレート１２Ａは、左右方向に関して本体部３２の両端部３４、３６に設けられ、前方向に延びた２つのハンドル部４２Ａ（ハンドル部４２）を備える。なお、本実施の形態においては、端部３４は本体部３２の相対的に右方向側の部分であり、端部３６は本体部３２の相対的に左方向側の部分である。ハンドル部４２Ａは、基端部４４Ａ（基端部４４）から前方向に平行に延びるように本体部３２に設けられた可撓性の支持部４６Ａ（支持部４６）と、前方向に平行な方向を向いて支持部４６Ａに支持された先端部４８Ａ（先端部４８）と、を有する。
【００２２】
１つのフェイスプレート１２Ａに備わる２つのハンドル部４２Ａは、各々の基端部４４Ａの位置が上下方向に関して互いに同じ位置である。また、１つのフェイスプレート１２Ａに備わる２つのハンドル部４２Ａの各々の先端部４８Ａは、上下方向に関して互いに同じ位置である。
【００２３】
オペレータは、例えば、フェイスプレート１２Ａおよび基板２０をスロット１６から取り外すときに、フェイスプレート１２Ａの２つのハンドル部４２Ａを摘む。このように、ハンドル部４２Ａは、いわゆる「取手」としての役割を果たす。具体的には、フェイスプレート１２Ａとスロット１６との係合を解除した状態で、オペレータがフェイスプレート１２Ａのハンドル部４２Ａを摘んで前方向側に引っ張る。これにより、オペレータは、フェイスプレート１２Ａおよび基板２０をスロット１６から容易に取り外すことができる。
【００２４】
また、本実施の形態では、本体部３２の両端部３４、３６の各々の側において、ハンドル部４２Ａが係合部材３８に取り付けられる。本実施の形態では、ハンドル部４２Ａが可撓性を有する。したがって、ハンドル部４２Ａは、自身の可撓性が許容する範囲内で左右方向に移動可能である。また、係合部材３８も可撓性を有するので、ハンドル部４２Ａが移動することに伴って、係合部材３８も同じ方向に移動することができる。したがって、本実施の形態では、スロット１６と係合部材３８との係合を解除する方向にハンドル部４２Ａを移動させることで、係合部材３８を解除する方向に移動させることができる。
【００２５】
「解除する方向」とは、係合部材３８の有する係合部４０がスロット１６から離れるような方向のことである。例えば、本体部３２の右方向側の端部３４においては、係合部材３８を左方向に移動させれば、係合部４０がスロット１６から離れる。したがって、右方向側のハンドル部４２Ａにとっての「解除する方向」とは、「左方向」である。同様に、左方向側のハンドル部４２Ａにとっての「解除する方向」とは、「右方向」である。
【００２６】
オペレータは、ハンドル部４２Ａを摘むことで、当該ハンドル部４２Ａおよび係合部材３８を解除する方向に移動させることができる。したがって、オペレータは、ハンドル部４２Ａを摘むことで、スロット１６と係合部４０との係合を容易に解除することができる。また、オペレータは、そのままフェイスプレート１２Ａを前方向に引っ張ることで、上述したとおりにフェイスプレート１２Ａを容易にスロット１６から取り外すことができる。このように、本実施の形態のフェイスプレート１２Ａは、スロット１６から取り外す作業をオペレータが容易に達成できるようになっている。
【００２７】
また、本実施の形態では、フェイスプレート１２Ａの２つのハンドル部４２Ａの各々の基端部４４Ａが、上下方向に関して互いに同じ位置にある。この配置は、２つのハンドル部４２Ａの各々をオペレータが摘むことでフェイスプレート１２Ａの取り外しを行うことを想定したときに、２つのハンドル部４２Ａに均等な力を加えやすい配置である。
【００２８】
図３Ａは、実施の形態の２種類目のフェイスプレート１２Ｂの斜視図である。図３Ｂは、図３Ａの別視点である。
【００２９】
フェイスプレート１２Ｂは、上記のフェイスプレート１２Ａと同様の本体部３２、係合部材３８および係合部４０を備える。また、フェイスプレート１２Ｂは、本体部３２の両端部３４、３６のそれぞれに、ハンドル部４２Ｂ（ハンドル部４２）を備える。ハンドル部４２Ｂは、基端部４４Ｂ（基端部４４）から前方向に平行に延びた可撓性の支持部４６Ｂ（支持部４６）と、支持部４６Ｂにより支持された先端部４８Ｂ（先端部４８）と、を有する。ハンドル部４２Ｂは、ハンドル部４２Ａと同様に係合部材３８に取り付けられており、オペレータが摘むことでスロット１６と係合部４０との係合を容易に解除することができる。
【００３０】
図４Ａは、実施の形態のフェイスプレート１２Ａの側面図である。図４Ｂは、実施の形態のフェイスプレート１２Ｂの側面図である。なお、図４Ａおよび図４Ｂには、左方向側から見たときのフェイスプレート１２Ａまたはフェイスプレート１２Ｂが、部分的に示されている。
【００３１】
先端部４８Ｂは、先端部４８Ａと同様の形状であって、先端部４８Ａと同様に前方向に平行な方向を向く。ただし、フェイスプレート１２Ａにおける先端部４８Ａの位置と、フェイスプレート１２Ｂにおける先端部４８Ｂの位置とは、図４Ａおよび図４Ｂを比較しても分かるように、上下方向に関してずれているという点で相違する。本実施の形態では、先端部４８Ａが相対的に上方向にずれており、先端部４８Ｂが相対的に下方向にずれている。なお、先端部４８Ａが相対的に下方向にずれ、先端部４８Ｂが相対的に上方向にずれてもよい。
【００３２】
図５は、実施の形態の電子装置１０の斜視図（その２）である。
【００３３】
図５には、以上で説明されるフェイスプレート１２が取り付けられた基板２０をスロット１６に挿入したときの、電子装置１０の一例が示されている。本実施の形態では、フェイスプレート１２Ａが取り付けられた基板２０とフェイスプレート１２Ｂが取り付けられた基板２０とを、フェイスプレート１２Ａとフェイスプレート１２Ｂとが左右方向で隣接するように、スロット１６に挿入する。これにより、フェイスプレート１２Ａのフェイスプレート１２Ｂ側のハンドル部４２Ａが、フェイスプレート１２Ｂのフェイスプレート１２Ａ側のハンドル部４２Ｂに左右方向で隣接する。
【００３４】
図６は、参考例におけるフェイスプレート１２’が取り付けられた電子装置１０’の斜視図である。
【００３５】
ここで、従来技術の問題点を説明するための参考例として、先端部４８Ａと先端部４８Ｂとが上下方向に関して同じ位置にあるフェイスプレート１２Ａ’およびフェイスプレート１２Ｂ’が取り付けられた電子装置１０’について説明する。なお、フェイスプレート１２Ａ’およびフェイスプレート１２Ｂ’は、先端部４８Ａと先端部４８Ｂとが上下方向に関して互いに同じ位置にあるという点を除き、フェイスプレート１２Ａおよびフェイスプレート１２Ｂと同様の構成を有していることとする。また、電子装置１０’は、フェイスプレート１２Ａ’およびフェイスプレート１２Ｂ’を有するという点を除いて電子装置１０と同様の構成を有することとする。したがって、電子装置１０’では、フェイスプレート１２Ａ’のハンドル部４２Ａとフェイスプレート１２Ｂ’のハンドル部４２Ｂとが、左右方向で隣接する。
【００３６】
フェイスプレート１２Ａ’をスロット１６から取り外すには、フェイスプレート１２Ａ’のハンドル部４２Ａをオペレータが摘まみ、引っ張ればよい。しかしながら、例えば電子装置１０’の筐体１４が小型であると、フェイスプレート１２Ａ’の右方向側のハンドル部４２Ａとフェイスプレート１２Ｂ’の左方向側のハンドル部４２Ｂとの距離が非常に近くなっているおそれがある。また、仮に、電子装置１０’の筐体１４が小型でなくても、スロット１６が密集して形成されていれば、フェイスプレート１２Ａ’の右方向側のハンドル部４２Ａとフェイスプレート１２Ｂ’の左方向側のハンドル部４２Ｂとの距離が近くなっているおそれがある。その場合、例えば、フェイスプレート１２Ａ’の右方向側に隣接したフェイスプレート１２Ｂ’の左方向側のハンドル部４２Ｂが、フェイスプレート１２Ａ’の右方向側のハンドル部４２Ａを摘むときの邪魔になる。その結果、オペレータは、電子装置１０’からフェイスプレート１２Ａ’を容易に取り外すことができない。このように、電子装置１０’においては、フェイスプレート１２Ａ’とフェイスプレート１２Ｂ’とが隣接しているときに、フェイスプレート１２Ａ’またはフェイスプレート１２Ｂ’の取り外し作業が行いにくいという問題がある。
【００３７】
図５に戻り、本実施の形態の電子装置１０は、２種類のフェイスプレート１２（１２Ａ、１２Ｂ）を、それぞれが左右方向で隣接するように備える。２種類のフェイスプレート１２は、それぞれのハンドル部４２（４２Ａ、４２Ｂ）に設けられた先端部４８（４８Ａ、４８Ｂ）が、上下方向に関してずれている。したがって、オペレータは、フェイスプレート１２Ａをスロット１６から取り外すときには、先端部４８Ｂに対して相対的に上方向にずれた先端部４８Ａを、先端部４８Ｂを避けつつ、摘むことができる。このように、本実施の形態の電子装置１０は、隣接した２つのフェイスプレート１２のうちの一方のハンドル部４２を摘むことが、他方のフェイスプレート１２のハンドル部４２に阻害されにくい。
【００３８】
なお、言うまでもないが、フェイスプレート１２Ａおよびフェイスプレート１２Ｂの配置は、図５に示された構成から変更されてよい。
【００３９】
また、上記では説明を省略したが、筐体１４のスロット１６には、前後方向に沿って基板２０を案内するガイドレールが設けられてもよい。これにより、基板２０を容易にスロット１６に挿抜することができる。
【００４０】
また、これも上記では説明を省略したが、基板２０の、例えば前方向側の端部３０に、外部接続用の接続端子が設けられてもよい。その場合に、フェイスプレート１２の本体部３２の、上記接続端子と対向する部分には、その接続端子を前方向側に露出させる端子用の開口が設けてられてもよい。これにより、電子装置１０以外の機器と上記接続端子とを、基板２０をスロット１６に挿入した状態のまま、本体部３２の上記開口を介して電気的に接続することができる。
【００４１】
［変形例］
以上、本発明の一例として実施の形態が説明されたが、上記実施の形態に、多様な変更または改良を加えることが可能であることはもちろんである。その様な変更または改良を加えた形態も本発明の技術的範囲に含まれ得ることが、特許請求の範囲の記載から明らかである。
【００４２】
（変形例１）
図７Ａは、変形例１のフェイスプレート１２Ａの側面図である。図７Ｂは、変形例１のフェイスプレート１２Ｂの側面図である。
【００４３】
先端部４８Ａおよび先端部４８Ｂは、実施の形態とは異なる方向を向くように変更されてもよい。例えば、フェイスプレート１２Ａのフェイスプレート１２Ｂ側の先端部４８Ａが前方向の上下方向の一方側に向かって斜めを向き、フェイスプレート１２Ｂのフェイスプレート１２Ａ側の先端部４８Ｂが前方向の上下方向の他方側に向かって斜めを向いてもよい。例えば、図７Ａには、先端部４８Ａが前方向の上方向側に向かって斜めを向いた例が示されている。また、図７Ｂには、先端部４８Ｂが前方向の下方向側に向かって斜めを向いた例が示されている。なお、先端部４８Ａが前方向の下方向側に向かって斜めを向き、先端部４８Ｂが前方向の上方向側に向かって斜めを向いてもよい。
【００４４】
オペレータは、フェイスプレート１２Ａおよびフェイスプレート１２Ｂを、左右方向に沿って交互に電子装置１０のスロット１６に取り付ける。これにより、左右方向の一方側のフェイスプレート１２のハンドル部４２が、他方側のフェイスプレート１２の先端部４８を摘むときの邪魔になるおそれが、より一層低減される。
【００４５】
図８Ａは、変形例１のもう一つのフェイスプレート１２Ａの側面図である。図８Ｂは、変形例１のもう一つのフェイスプレート１２Ｂの側面図である。
【００４６】
また、本変形例では、フェイスプレート１２Ａのフェイスプレート１２Ｂ側の先端部４８Ａは上下方向と平行な一方側の方向を向き、フェイスプレート１２Ｂのフェイスプレート１２Ａ側の先端部４８Ｂは上下方向と平行な他方側の方向を向いてもよい。例えば、図８Ａには、先端部４８Ａが上下方向に平行な上方向を向いた例が示されている。また、図８Ｂには、先端部４８Ｂが上下方向に平行な下方向を向いた例が示されている。なお、先端部４８Ａが上下方向に平行な下方向を向き、先端部４８Ｂが上下方向に平行な上方向を向いてもよい。
【００４７】
オペレータは、フェイスプレート１２Ａおよびフェイスプレート１２Ｂを、左右方向に沿って交互に電子装置１０のスロット１６に取り付ける。これにより、左右方向の一方側のフェイスプレート１２のハンドル部４２が、他方側のフェイスプレート１２の先端部４８を摘むときの邪魔になるおそれが、より一層低減される。
【００４８】
（変形例２）
図９Ａは、変形例２のフェイスプレート１２Ａの斜視図である。図９Ｂは、変形例２のフェイスプレート１２Ｂの斜視図である。
【００４９】
実施の形態では、ハンドル部４２Ａの基端部４４Ａとハンドル部４２Ｂの基端部４４Ｂとは、上下方向に関して互いに同じ位置であった。フェイスプレート１２Ａのフェイスプレート１２Ｂ側の基端部４４Ａと、フェイスプレート１２Ｂのフェイスプレート１２Ａ側の基端部４４Ｂとは、上下方向に関して互いにずれてもよい。図９Ａには、基端部４４Ａを基端部４４Ｂよりも相対的に上方向にずらした例が示されている。また、図９Ｂには、基端部４４Ｂを基端部４４Ａよりも相対的に下方向にずらした例が示されている。なお、図９Ａおよび図９Ｂの中心線Ｌは、本体部３２の上下方向における中心を通る仮想の直線である。なお、基端部４４Ａが基端部４４Ｂよりも相対的に下方向にずれ、基端部４４Ｂが基端部４４Ａよりも相対的に上方向にずれてもよい。
【００５０】
オペレータは、フェイスプレート１２Ａおよびフェイスプレート１２Ｂを、左右方向に沿って交互に電子装置１０のスロット１６に取り付ける。これにより、左右方向の一方側のフェイスプレート１２のハンドル部４２が、他方側のフェイスプレート１２の先端部４８を摘むときの邪魔になるおそれが、より一層低減される。
【００５１】
（変形例３）
図１０Ａは、変形例３のフェイスプレート１２Ａの側面図である。図１０Ｂは、変形例３のフェイスプレート１２Ｂの側面図である。
【００５２】
実施の形態では、ハンドル部４２Ａの支持部４６Ａ、およびハンドル部４２Ｂの支持部４６Ｂは、いずれも前方向に平行な方向に延びた部材であった。フェイスプレート１２Ａのフェイスプレート１２Ｂ側の支持部４６Ａは、基端部４４Ａから前方向の上下方向の一方側に向かって斜めに延びてもよい。また、このとき、フェイスプレート１２Ｂのフェイスプレート１２Ａ側の支持部４６Ｂは、基端部４４Ｂから前方向の上下方向の他方側に向かって斜めに延びてもよい。
【００５３】
図１０Ａでは、支持部４６Ａが基端部４４Ａから前方向の上方向側に向かって斜めに延びている。また、図１０Ｂでは、支持部４６Ｂが基端部４４Ｂから前方向の下方向側に向かって斜めに延びている。なお、支持部４６Ａが基端部４４Ａから前方向の下方向側に向かって斜めに延び、支持部４６Ｂが基端部４４Ｂから前方向の上方向側に向かって斜めに延びてもよい。
【００５４】
また、本変形例を適用するときには、先端部４８の方向も適宜変更されてよい。図１０Ａでは、先端部４８Ａが支持部４６Ａと同じ方向、つまり、前方向の上方向側に向かって斜めを向いている。また、図１０Ｂでは、先端部４８Ｂが支持部４６Ｂと同じ方向、つまり、前方向の下方向側に向かって斜めを向いている。これを変更し、例えば、先端部４８Ａおよび先端部４８Ｂは、実施の形態と同様に、前方向と平行な方向を向いてもよい。また、例えば、先端部４８Ａおよび先端部４８Ｂは、変形例１のもう一つの形態と同様に、先端部４８Ａが上下方向に平行な上方向を向き、先端部４８Ｂが上下方向に平行な下方向を向いてもよい。
【００５５】
オペレータは、フェイスプレート１２Ａおよびフェイスプレート１２Ｂを、左右方向に沿って交互に電子装置１０のスロット１６に取り付ける。これにより、左右方向の一方側のフェイスプレート１２のハンドル部４２が、他方側のフェイスプレート１２の先端部４８を摘むときの邪魔になるおそれが、より一層低減される。
【００５６】
（変形例４）
上記した実施の形態および各変形例は、矛盾の生じない範囲内で適宜組み合わされてもよい。
【００５７】
［実施の形態から得られる発明］
上記実施の形態および変形例から把握しうる発明について、以下に記載する。
【００５８】
基板（２０）が挿入方向に沿って挿入されるスロット（１６）が形成された筐体（１４）を有する電子装置（１０）であって、前記スロット（１６）は、前記スロット（１６）の開口部（１８）が前記基板（２０）の幅方向に沿って互いに隣接するように、前記筐体（１４）に少なくとも２つ形成され、前記挿入方向とは反対方向の抜出方向側で前記基板（２０）に取り付けられるフェイスプレート（１２）を備え、前記フェイスプレート（１２）は、前記スロット（１６）に前記基板（２０）が挿入されたときに前記スロット（１６）の開口部（１８）を覆う本体部（３２）と、前記幅方向に関して前記本体部（３２）の両端部（３４、３６）に設けられ、前記抜出方向に延びた２つのハンドル部（４２）と、を有し、前記幅方向で隣接した２つの前記フェイスプレート（１２）のうち、一方の前記フェイスプレート（１２）の、他方の前記フェイスプレート（１２）側の前記ハンドル部（４２）の先端部（４８）と、前記他方の前記フェイスプレート（１２）の、前記一方の前記フェイスプレート（１２）側の前記ハンドル部（４２）の前記先端部（４８）とは、前記基板の厚み方向に関して互いにずれている。
【００５９】
これにより、隣接した２つのフェイスプレート（１２）のうちの一方のハンドル部（４２）を摘むことが、他方のフェイスプレート（１２）のハンドル部（４２）に阻害されにくい電子装置（１０）が提供される。
【００６０】
前記一方の前記フェイスプレート（１２）の前記ハンドル部（４２）の、前記他方の前記フェイスプレート（１２）側の前記先端部（４８）と、前記他方の前記フェイスプレート（１２）の、前記一方の前記フェイスプレート（１２）側の前記ハンドル部（４２）の前記先端部（４８）とは、前記抜出方向に平行な方向を向いてもよい。これにより、オペレータは、幅方向（左右方向）に隣接した２つのフェイスプレート（１２）のうちの一方のハンドル部（４２）の先端部（４８）を、他方のフェイスプレート（１２）のハンドル部（４２）を容易に避けつつ、摘むことができる。
【００６１】
前記一方の前記フェイスプレート（１２）の、前記他方の前記フェイスプレート（１２）側の前記ハンドル部（４２）の前記先端部（４８）は、前記抜出方向の前記厚み方向側の一方側に向かって斜めを向き、前記他方の前記フェイスプレート（１２）の、前記一方の前記フェイスプレート（１２）側の前記ハンドル部（４２）の前記先端部（４８）は、前記抜出方向の前記厚み方向側の他方側に向かって斜めを向いてもよい。これにより、２つのフェイスプレート（１２）が幅方向に隣接したときであっても、２つのフェイスプレート（１２）のうちの一方のハンドル部（４２）の先端部（４８）を摘むことが、より容易に達成できる。
【００６２】
前記一方の前記フェイスプレート（１２）の、前記他方の前記フェイスプレート（１２）側の前記ハンドル部（４２）の前記先端部（４８）は、前記厚み方向と平行であって前記厚み方向の一方側の方向を向き、前記他方の前記フェイスプレート（１２）の、前記一方の前記フェイスプレート（１２）側の前記ハンドル部（４２）の前記先端部（４８）は、前記厚み方向と平行であって前記厚み方向の他方側の方向を向いてもよい。これにより、２つのフェイスプレート（１２）が幅方向に隣接したときであっても、２つのフェイスプレート（１２）のうちの一方のハンドル部（４２）の先端部（４８）を摘むことが、より容易に達成できる。
【００６３】
前記一方の前記フェイスプレート（１２）の、前記他方の前記フェイスプレート（１２）側の前記ハンドル部（４２）の基端部（４４）と、前記他方の前記フェイスプレート（１２）の、前記一方の前記フェイスプレート（１２）側の前記ハンドル部（４２）の基端部（４４）とは、前記抜出方向と交差する方向に関して互いに同じ位置でもよい。これにより、オペレータが１つのフェイスプレート（１２）の２つのハンドル部（４２）に均等な力を加えやすくなる。
【００６４】
前記一方の前記フェイスプレート（１２）の、前記他方の前記フェイスプレート（１２）側の前記ハンドル部（４２）は、前記抜出方向の前記厚み方向の一方側に向かって斜めに延び、前記他方の前記フェイスプレート（１２）の、前記一方の前記フェイスプレート（１２）側の前記ハンドル部（４２）は、前記抜出方向の前記厚み方向の他方側に向かって斜めに延びてもよい。これにより、２つのフェイスプレート（１２）が幅方向に隣接したときであっても、２つのフェイスプレート（１２）のうちの一方のハンドル部（４２）を摘むことが、より容易に達成できる。
【００６５】
前記本体部（３２）の両端側で前記スロット（１６）と係合する係合部材（３８）をさらに備え、前記ハンドル部（４２）は、前記係合部材（３８）に取り付けられ、前記ハンドル部（４２）は、前記スロット（１６）と前記係合部材（３８）との係合を解除する方向に移動したとき、前記スロット（１６）と前記係合部材（３８）との係合を解除してもよい。これにより、フェイスプレート（１２）をスロット（１６）から取り外す作業を、オペレータが容易に達成可能となる。
【００６６】
前記幅方向で隣接した２つの前記フェイスプレート（１２）の各々において、２つの前記ハンドル部（４２）の各々の前記先端部（４８）は、前記厚み方向に関して同じ位置でもよい。これにより、電子装置（１０）が備えるフェイスプレート（１２）の種類が、２種類で済む。
【符号の説明】
【００６７】
１０、１０’…電子装置
１２（１２Ａ、１２Ｂ）、１２’（１２Ａ’、１２Ｂ’）…フェイスプレート
１４…筐体                              １６…スロット
１８…開口部                            ２０…基板
２２…基板の挿入方向側の端部            ２４…第１コネクタ
２６…バックボード                      ２８…第２コネクタ
３０…基板の抜出方向側の端部            ３２…本体部
３４…本体部の右方向側の端部            ３６…本体部の左方向側の端部
３８…係合部材                          ４０…係合部
４２（４２Ａ、４２Ｂ）…ハンドル部      ４４（４４Ａ、４４Ｂ）…基端部
４６（４６Ａ、４６Ｂ）…支持部          ４８（４８Ａ、４８Ｂ）…先端部
Ｌ…中心線
【図１】
2020136318.tif 000003
【図２】
2020136318.tif 000004
【図３】
2020136318.tif 000005
【図４】
2020136318.tif 000006
【図５】
2020136318.tif 000007
【図６】
2020136318.tif 000008
【図７】
2020136318.tif 000009
【図８】
2020136318.tif 000010
【図９】
2020136318.tif 000011
【図１０】
2020136318.tif 000012